(57)【要約】【課題】  薬局において使用された薬袋の枚数を広告管理会社において正確に把握することができる広告システムを提供する。【解決手段】  管理装置１０は、広告データを記憶する管理側記憶手段１８を備え、また端末装置１４は、広告データを印刷装置１６に送出する広告データ送出手段６０と、印刷装置１６により印刷された薬袋の枚数を計数する計数手段５０と、広告データ及び計数データを記憶する端末側記憶手段４４とを備える。管理装置１０からの広告データが通信回線１２を介して端末装置１４の端末側記憶手段４４に記憶され、端末側記憶手段４４に記憶された広告データが広告データ送出手段６０により印刷装置１６に送出されて薬袋に印刷され、印刷された薬袋の枚数が計数手段５６により計数されて端末側記憶手段４４に記憶され、端末側記憶手段４４に記憶された計数データが通信回線１２を介して管理装置１０に送信される。【選択図】  図２
2006252186.tif 000002
【特許請求の範囲】
【請求項１】
薬局に提供される広告データに基づき、薬局において薬袋に広告データを印刷して患者に提供する広告システムであって、
薬局には、端末装置と、提供された広告データを薬袋に印刷するための印刷装置とが設けられており、
前記端末装置は、広告データを前記印刷装置に送出する広告データ送出手段と、前記印刷装置により印刷された薬袋の枚数を計数する計数手段と、広告データ及び前記計数手段により計数して得られる計数データを記憶する端末側記憶手段と、を備えており、
提供された広告データが前記端末側記憶手段に記憶され、前記端末側記憶手段に記憶された広告データが前記広告データ送出手段により前記印刷装置に送出されて薬袋に印刷され、前記印刷装置により印刷された薬袋の枚数が前記計数手段により計数されて前記端末側記憶手段に記憶されることを特徴とする広告システム。
【請求項２】
広告データは広告管理会社から薬局に提供され、この広告管理会社には、前記端末装置と通信回線を介して接続された管理装置が設けられ、前記管理装置は、広告主から提供された広告データを記憶する管理側記憶手段を備えており、
前記管理装置の前記管理側記憶手段からの広告データが前記通信回線を介して前記端末装置に送信されて前記端末側記憶手段に記憶され、前記端末側記憶手段に記憶された広告データが前記広告データ送出手段により前記印刷装置に送出されて薬袋に印刷され、前記印刷装置により印刷された薬袋の枚数が前記計数手段により計数されて前記端末側記憶手段に記憶され、前記端末側記憶手段に記憶された計数データが前記通信回線を介して前記管理装置に送信されることを特徴とする請求項１に記載の広告システム。
【請求項３】
前記端末装置の前記端末側記憶手段には患者データが記憶されており、前記端末装置は、前記端末側記憶手段に記憶された複数の広告データから患者データに対応する広告データを読み出す広告データ読出し手段を備えており、前記広告データ読出し手段により読み出された広告データが前記印刷装置に送出されて薬袋に印刷されることを特徴とする請求項１又は２に記載の広告システム。
【請求項４】
前記管理装置は、広告料金を演算する広告料金演算手段を備え、前記管理側記憶手段には広告単価データが記憶されており、前記端末装置は、所定期間毎に定期的に又は前記管理装置からの指令信号に基づいて、集計された計数データを前記通信回線を介して前記管理装置に送信し、送信された計数データが前記管理側記憶手段に記憶され、前記広告料金演算手段は、前記管理側記憶手段に記憶された計数データ及び広告単価データに基づいて広告料金を演算することを特徴とする請求項２又は３に記載の広告システム。
【請求項５】
前記端末装置はレセプト業務を処理するためのコンピュータから構成されていることを特徴とする請求項１〜４のいずれかに記載の広告システム。
【発明の詳細な説明】
【技術分野】
【０００１】
本発明は、広告管理会社などから提供される広告データに基づき、薬局において薬袋に広告データを印刷して患者に提供する広告システムに関する。
【背景技術】
【０００２】
病院などの薬局において患者に各種の薬を提供する際に薬袋が用いられており、この薬袋には、例えば、患者の氏名などの患者データや、調剤年月日及び服用方法などの調剤データなどが表示されている。このような薬袋は、薬の服用期間中は患者の手元に保管され、患者が薬を服用する度に患者の目に触れ、また患者の家族の目にも触れる機会が多いので、広告媒体としての利用価値が高く、このようなことから、近年、薬袋を広告媒体として利用した広告システムが提案されている（例えば、特許文献１参照）。
【０００３】
この広告システムでは、広告代理店などの広告管理会社は、広告主より薬袋への広告掲載の申し込みを受けると、広告主から提供された広告データを薬袋に所定枚数印刷し、この印刷された所定枚数の薬袋を薬局へ提供する。薬局では、この所定枚数の薬袋を所定期間に渡って用い、所定期間が経過した時点で、薬局員などが、使用した薬袋の枚数を手作業により計数して広告管理会社に報告する。広告管理会社は、薬局より報告された計数結果に広告単価を乗じることにより広告料金を算出し、この広告料金を広告主へ請求する。
【０００４】
【特許文献１】特開２００１−２８３０５４号公報
【発明の開示】
【発明が解決しようとする課題】
【０００５】
しかしながら、上述のような従来の広告システムでは、次のような問題がある。薬局にて使用された薬袋が多数枚（例えば、数百〜数千枚程度）である場合には、使用した薬袋の枚数を計数する作業は非常に煩雑なものとなり、計数間違いが生じやすくなるため、広告管理会社において正確な薬袋の使用枚数を把握することができず、正確な広告料金を算出することができない恐れがある。また、所定枚数印刷した薬袋を全て使用することは少なく、ある程度の枚数の薬袋が余るようになり、薬袋を無駄に印刷することが多くなる。また、予め所定の広告データが印刷された薬袋を使用するため、患者の性別や年齢などに応じて薬袋に印刷する広告データの内容を適宜変更することができず、効果的な広告が行うことができないという問題が生じる。さらに、予め広告データが印刷された薬袋を薬局に提供することにより、薬局においてこの印刷された薬袋と印刷されていない既存の薬袋とが混合されて使用される場合があり、このため薬局において使用される薬袋の枚数を事前に予測することが困難となり、広告管理会社が広告の効果について広告主に充分にアピールすることができないという問題が生じる。
【０００６】
本発明の目的は、広告管理会社からの広告データに基づき薬局において薬袋に広告データを印刷し、薬局において使用された薬袋の枚数を広告管理会社において正確に把握することができる広告システムを提供することである。
【０００７】
また、本発明の他の目的は、患者の性別や年齢などに応じて、薬袋に印刷する広告データの内容を適宜変更することができる広告システムを提供することである。
【課題を解決するための手段】
【０００８】
本発明の請求項１に記載の広告システムでは、薬局に提供される広告データに基づき、薬局において薬袋に広告データを印刷して患者に提供する広告システムであって、
薬局には、端末装置と、提供された広告データを薬袋に印刷するための印刷装置とが設けられており、
前記端末装置は、広告データを前記印刷装置に送出する広告データ送出手段と、前記印刷装置により印刷された薬袋の枚数を計数する計数手段と、広告データ及び前記計数手段により計数して得られる計数データを記憶する端末側記憶手段と、を備えており、
提供された広告データが前記端末側記憶手段に記憶され、前記端末側記憶手段に記憶された広告データが前記広告データ送出手段により前記印刷装置に送出されて薬袋に印刷され、前記印刷装置により印刷された薬袋の枚数が前記計数手段により計数されて前記端末側記憶手段に記憶されることを特徴とする。
【０００９】
また、本発明の請求項２に記載の広告システムでは、広告データは広告管理会社から薬局に提供され、この広告管理会社には、前記端末装置と通信回線を介して接続された管理装置が設けられ、前記管理装置は、広告主から提供された広告データを記憶する管理側記憶手段を備えており、
前記管理装置の前記管理側記憶手段からの広告データが前記通信回線を介して前記端末装置に送信されて前記端末側記憶手段に記憶され、前記端末側記憶手段に記憶された広告データが前記広告データ送出手段により前記印刷装置に送出されて薬袋に印刷され、前記印刷装置により印刷された薬袋の枚数が前記計数手段により計数されて前記端末側記憶手段に記憶され、前記端末側記憶手段に記憶された計数データが前記通信回線を介して前記管理装置に送信されることを特徴とする。
【００１０】
さらに、本発明の請求項３に記載の広告システムでは、前記端末装置の前記端末側記憶手段には患者データが記憶されており、前記端末装置は、前記端末側記憶手段に記憶された複数の広告データから患者データに対応する広告データを読み出す広告データ読出し手段を備えており、前記広告データ読出し手段により読み出された広告データが前記印刷装置に送出されて薬袋に印刷されることを特徴とする。
【００１１】
また、本発明の請求項４に記載の広告システムでは、前記管理装置は、広告料金を演算する広告料金演算手段を備え、前記管理側記憶手段には広告単価データが記憶されており、前記端末装置は、所定期間毎に定期的に又は前記管理装置からの指令信号に基づいて、集計された計数データを前記通信回線を介して前記管理装置に送信し、送信された計数データが前記管理側記憶手段に記憶され、前記広告料金演算手段は、前記管理側記憶手段に記憶された計数データ及び広告単価データに基づいて広告料金を演算することを特徴とする。
【００１２】
また、本発明の請求項５に記載の広告システムでは、前記端末装置はレセプト業務を処理するためのコンピュータから構成されていることを特徴とする。
【発明の効果】
【００１３】
本発明の請求項１に記載の広告システムによれば、薬局には、端末装置及び印刷装置が設けられており、この端末装置は、印刷装置により印刷された薬袋の枚数を計数する計数手段と、計数データを記憶する端末側記憶手段とを備え、印刷装置により印刷された薬袋の枚数が計数手段により計数されて端末側記憶手段に記憶されるので、薬局において印刷された薬袋が多数枚（例えば、数百〜数千枚程度）である場合でも正確に計数することができる。また、患者に薬を手渡すときに薬袋を印刷するので、薬袋に印刷を無駄に施すことがなく、薬袋を無駄に消費することもない。
【００１４】
また、本発明の請求項２に記載の広告システムによれば、端末側記憶手段に記憶された計数データが通信回線を介して管理装置に送信されるので、広告管理会社は、薬局の印刷装置により印刷された薬袋の枚数を正確に且つ確実に把握することができるとともに、広告管理会社において正確な広告料金を算出することができ、信頼性の高い広告システムを提供することが可能となる。また、従来のように薬局員などが手作業で薬袋の枚数を計数する必要がないため、印刷された薬袋の枚数を広告管理会社へ迅速に報告することができ、効率的な広告システムを提供することが可能となる。また、広告管理会社からの広告データに基づき薬局において広告データが薬袋に印刷されるので、薬局において使用される薬袋の枚数を事前に予測することができるとともに、薬局において印刷された薬袋の枚数に課金することができ、これにより広告管理会社が広告主に広告の効果について充分アピールすることが可能となる。
【００１５】
また、本発明の請求項３に記載の広告システムによれば、端末手段は、端末側記憶手段に記憶された複数の広告データから患者データに対応する広告データを読み出す広告データ読出し手段を備え、印刷装置は、患者データに対応する広告データを薬袋に印刷するので、患者の性別や年齢などに応じて薬袋に印刷する広告データの内容を適宜変更することができ、効果的な広告を行うことが可能となる。例えば、子供の患者に対しては子供用のキャラクタを付した広告データを印刷し、大人の女性には化粧品などの広告データを印刷するようにすることができる。
【００１６】
さらに、本発明の請求項４に記載の広告システムによれば、端末装置は、所定期間毎に定期的に集計された計数データを通信回線を介して管理装置に送信し、広告料金演算手段は、この計数データ及び広告単価データに基づいて広告料金を演算するので、広告料金を迅速に且つ正確に算出することができ、これにより信頼性の高い広告システムを提供することが可能となる。また、この計数データは管理装置からの指令信号に基づいて端末装置から管理装置に送信されるので、管理装置側では、希望するときに計数データを得ることができ、広告を付した薬袋の使用状況を容易に把握することができる。
【００１７】
また、本発明の請求項５に記載の広告システムによれば、端末装置はレセプト業務を処理するためのコンピュータから構成されているので、薬局に既設されている例えばレセプトコンピュータなどを用いることにより、薬局において本発明による広告システムを容易に導入することが可能となる。
【発明を実施するための最良の形態】
【００１８】
以下、添付図面を参照して、本発明に従う広告システムの一実施形態について説明する。図１は、本発明の一実施形態による広告システムを簡略的に示す概念図であり、図２は、図１の広告システムの構成を簡略的に示すブロック図であり、図３は、図１の広告システムにおける薬袋への広告掲載の流れを示すフローチャートであり、図４は、図１の印刷装置により患者データが印刷された薬袋の片面を示す概略図であり、図５は、図１の印刷装置により広告データが印刷された薬袋の他面を示す概略図である。
【００１９】
図１及び図２を参照して、図示の広告システム２は、広告代理店などの広告管理会社４から提供される広告データに基づき、病院などの薬局６において薬袋８（図４及び図５参照）に広告データを印刷して患者に提供するシステムである。以下、この広告システム２の構成について詳細に説明する。
【００２０】
広告管理会社４には管理装置１０が設けられ、また薬局６には、管理装置１０と通信回線１２を介して接続された端末装置１４と、管理装置１０から提供された広告データを薬袋８に印刷するための印刷装置１６とが設けられている。本実施形態では、通信回線１２はインターネット網から構成されているが、これに限られず、例えば、携帯電話回線、有線の電話回線、その他の公衆回線、専用線又はその他のネットワーク回線で構成することも可能である。図１では、薬局を一つ、また広告主を三つ示しているが、実際の広告システムでは、薬局及び広告主は多数存在している。
【００２１】
広告管理会社４の管理装置１０は、各種データを記憶する管理側記憶手段１８と、各種の処理を実行するための管理用コンピュータ２０とを備えている。管理側記憶手段１８は、例えばサーバから構成されており、顧客データ記憶部２２、広告データ記憶部２４、計数データ記憶部２６及び広告単価データ記憶部２８を含んでいる。顧客データ記憶部２２には、薬袋８への広告掲載の申し込みがあった広告主３０に関する顧客データが記憶され、広告データ記憶部２４には、広告主３０から提供された広告データが記憶され、計数データ記憶部２６には、端末装置１４からの計数データ（後述する）が記憶され、また広告単価データ記憶部２８には、広告データに対応する広告単価データが記憶されている。管理用コンピュータ２０は、管理側記憶手段１８の広告データ記憶部２４に記憶された広告データを読み出す広告データ読出し手段３２と、広告料金を演算する広告料金演算手段３４と、送信指令信号を生成する送信指令信号生成手段３６と、を含んでいる。
【００２２】
さらに、この管理装置１０は、各種データ及び各種処理命令などを入力操作するための入力手段３８と、各種データなどを薬局６の端末装置１４との間で相互に送受信するための通信手段４０と、各種データなどを表示するための表示手段４２と、を備えている。通信手段４０は、広告データや送信指令信号などを通信回線１２を介して薬局６の端末装置１４に送信し、また薬局６の端末装置１４からの計数データなどを通信回線１２を介して受信する。入力手段３８は例えばマウスやキーボードなどから構成され、また表示手段４２は例えばＣＲＴなどから構成されている。
【００２３】
薬局６の端末装置１４は、例えば薬局６に既設されている例えばレセプトコンピュータ、汎用のコンピュータ及びＡＳＰプログラムなどのレセプト業務を処理するためのコンピュータに所定のソフトウェアを組み込むなどして構成されており、各種データを記憶する端末側記憶手段４４と、各種の処理を実行するパソコン４６とを備えている。端末側記憶手段４４は、例えばハードディスクなどから構成され、広告データ記憶部４８、計数データ記憶部５０、患者データ記憶部５２及び薬袋データ記憶部５４を含んでいる。広告データ記憶部４８には、管理装置１０からの広告データが記憶され、計数データ記憶部５０には、計数手段５６（後述する）により計数された薬袋８の枚数（すなわち、計数データ）が記憶され、患者データ記憶部５２には、患者の氏名、性別及び年齢などの患者データが記憶され、また薬袋データ記憶部５４には、印刷する薬袋８のサイズなどの薬袋データが記憶されている。
【００２４】
パソコン４６は、端末側記憶手段４４の広告データ記憶部４８に記憶された広告データを読み出す広告データ読出し手段５８と、読み出した広告データを印刷装置１６に送出する広告データ送出手段６０と、印刷装置１６により印刷された薬袋８の枚数を計数する計数手段５６と、端末側記憶手段４４の計数データ記憶部５０に記憶された計数データを集計する集計手段６２と、端末側記憶手段４４の患者データ記憶部５２に記憶された患者データを読み出す患者データ読出し手段６４と、読み出した患者データを印刷装置１６に送出する患者データ送出手段６６と、薬袋８のサイズなどに応じて印刷する広告データのレイアウトなどを調節する印刷処理手段６８と、を含んでいる。
【００２５】
さらに、この端末装置１４は、磁気カードやＩＣカードなどで構成された診察カード（図示せず）より患者ＩＤデータなどを読み出すためのカードリーダ７０と、各種データ及び各種処理命令などを入力操作するための入力手段７２と、各種データなどを広告管理会社４の管理装置１０との間で相互に送受信するための通信手段７４と、各種データなどを表示するための表示手段７６と、を備えている。通信手段７４は、計数データなどを通信回線１２を介して広告管理会社４の管理装置１０に送信し、また広告管理会社４の管理装置１０からの広告データや送信指令信号などを通信回線１２を介して受信する。入力手段７２は例えばマウスやキーボードなどから構成され、また表示手段７６は例えばＣＲＴなどから構成されている。
【００２６】
薬局６の印刷装置１６は、例えばレーザプリンタやインクジェットプリンタなどの各種プリンタで構成され、端末装置１４と各種データなどが送受信可能に接続されている。印刷装置１６に薬袋８（印刷されていないもの）がセットされると、例えば、薬袋８の片面に患者データが印刷され、またその他面に広告データが印刷される。また、印刷装置１６には、セットされた薬袋８のサイズを検出するためのサイズ検知センサ（図示せず）が設けられている。
【００２７】
次に、図３を用いて、本実施形態の広告システム２における薬袋８への広告掲載の流れについて説明する。広告管理会社４は、例えばオンラインなどにより広告主３０より薬袋８への広告掲載の申し込みを受けると（ステップＳ１）、広告管理会社４と広告主３０との間で、広告期間、広告エリア、広告データの内容及び広告単価などを決定する（ステップＳ２）。例えば、広告期間は３月、広告エリアは東京都、広告内容は３種類の広告データＡ，Ｂ，Ｃ、これら広告データＡ，Ｂ，Ｃの広告単価はそれぞれ２０円、３０円、１５円と決定される。広告データＡは、例えば２０歳以上の男性を対象としたメンズファッションに関する広告であり、広告データＢは、例えば２０歳以上の女性を対象としたアクセサリーに関する広告であり、また広告データＣは、例えば２０歳未満の男女を対象としたファーストフード店に関する広告である。
【００２８】
広告主３０は、ＰＤＦなどの画像データで構成された広告データＡ，Ｂ，Ｃを通信回線１２を介して広告管理会社４の管理装置１０へ送信する。広告主３０から提供された広告データＡ，Ｂ，Ｃは、管理装置１０の通信手段４０により受信されると、管理側記憶手段１８の広告データ記憶部２４に記憶される（ステップＳ３）。あるいは、広告データＡ，Ｂ，Ｃが記憶されたＭＯディスクやＣＤ−Ｒなどの記憶媒体（図示せず）を広告主３０から受け取り、この記憶媒体より各広告データを読み出して管理側記憶手段１８の広告データ記憶部２４に記憶させるようにしてもよい。また、広告管理会社４のオペレータが入力手段３８を用いて所定の入力操作を行うことにより、広告主名、広告期間及び広告エリアなどの顧客データが作成され、作成された顧客データが管理側記憶手段１８の顧客データ記憶部２２に記憶され、また広告単価データが管理側記憶手段１８の広告単価データ記憶部２８に記憶される。
【００２９】
決定された広告エリアに属する薬局のうち薬袋８への広告掲載を希望する薬局６が決定されると、管理用コンピュータ２０の広告データ読出し手段３２は、広告主３０より提供された広告データＡ，Ｂ，Ｃを広告データ記憶部２４より読み出し、この読み出された広告データＡ，Ｂ，Ｃは、通信手段４０により通信回線１２を介して薬局６の端末装置１４へ送信される（ステップＳ４）。これら広告データＡ，Ｂ，Ｃは、薬局６の端末装置１４の通信手段７４により受信され（ステップＳ５）、端末側記憶手段４４の広告データ記憶部４８にそれぞれ記憶される（ステップＳ６）。
【００３０】
このように各広告データが端末側記憶手段４４の広告データ記憶部４８に記憶された後に、薬局６において薬袋８の印刷が印刷装置１６により行われる（ステップＳ７）。薬局６において使用される薬袋８には、例えばＬサイズ、Ｍサイズ及びＳサイズの３種類のサイズがあり、この薬袋８のサイズに関する薬袋データは、端末側記憶手段４４の薬袋データ記憶部５４に記憶されている。患者に薬袋８を提供する際には、薬局員は印刷前の薬袋８を印刷装置１６にセットし、このように薬袋８が印刷装置１６にセットされると、薬袋８のサイズが印刷装置１６に設けられたサイズ検知センサ（図示せず）により検出される。印刷処理手段６８は、サイズ検知センサからの検出信号に基づき端末側記憶手段４４の薬袋データ記憶部５４よりこの薬袋８のサイズに関連した薬袋データを読み出し、これにより、後述するように薬袋８に印刷される患者データや広告データなどのレイアウト（印刷範囲など）が決定される。
【００３１】
薬局において患者に処方された薬を販売するときには、薬局員は、患者より診察カードを受け取り、カードリーダ７０を用いてこの診察カードに記憶されている患者ＩＤデータを読み出す。患者データ読出し手段６４は、読み出された患者ＩＤデータに対応する患者データを端末側記憶手段４４の患者データ記憶部５２より読み出し（ステップＳ８）、この読み出された患者データは端末装置１４の表示手段７６に表示される。薬局員は、表示手段７６に表示された患者データを確認した後に、入力手段７２により所定の入力操作を行い、これにより患者データが患者データ送出手段６６により印刷装置１６に送出され、薬袋８の片面の印刷領域７８に患者データ（例えば、患者の氏名など）が印刷される（ステップＳ９）（図４参照）。また、薬局員が、入力手段７２により薬の服用方法や調剤年月日などの調剤データを入力すると、この調剤データが印刷装置１６に送出されて薬袋８の片面の印刷領域８０に印刷される。なお、印刷処理手段６８により薬袋８に印刷される患者データ及び調剤データのレイアウトが決定されているので、印刷装置１６にセットした薬袋８のサイズに応じて、薬袋８に印刷する文字のサイズなどが適宜最適なものに設定される。
【００３２】
また、パソコン４６の広告データ読出し手段５８は、端末側記憶手段４４の広告データ記憶部４８に記憶された複数の広告データＡ，Ｂ，Ｃより、薬袋８に印刷する患者データに対応する広告データを読み出す。例えば、患者が２０歳以上の男性である場合には、ステップＳ１０からステップＳ１１，Ｓ１２に進み、広告データ読出し手段５８により広告データＡが読み出され、この読み出された広告データＡは、広告データ送出手段６０により印刷装置１６へ送出されて薬袋８の他面の印刷領域８２に印刷される（ステップＳ１３，Ｓ１４）（図５参照）。なお、印刷処理手段６８により、薬袋８に印刷される広告データのレイアウトが決定されているので、印刷装置１６にセットした薬袋８のサイズに応じて、薬袋８に印刷する広告データＡの印刷範囲が適宜最適なものに設定される。
【００３３】
また例えば、患者が２０歳以上の女性である場合には、ステップＳ１０からステップＳ１５，Ｓ１６に進み、広告データ読出し手段５８により広告データＢが読み出され、この読み出された広告データＢは広告データ送出手段６０により印刷装置１６へ送出されて薬袋８に広告データＢが印刷される（ステップＳ１７，Ｓ１８）。また例えば、患者が２０歳未満の男女である場合には、ステップＳ１０からステップＳ１１，Ｓ１９、あるいはステップＳ１０からステップＳ１５，Ｓ１９に進み、広告データ読出し手段５８により広告データＣが読み出され、この読み出された広告データＣは広告データ送出手段６０により印刷装置１６へ送出されて薬袋８に広告データＣが印刷される（ステップＳ２０，Ｓ２１）。なお、薬袋８への患者データ及び広告データの印刷は、各データを薬袋８の片面及び他面に同時に印刷するようにしてもよく、あるいは患者データを薬袋８の片面に印刷した後に、薬袋８を印刷装置１６にセットし直して広告データを薬袋８の他面に印刷するようにしてもよい。
【００３４】
このように印刷装置１６により広告データが薬袋８に印刷されると、計数手段５６は、印刷装置１６からの印刷完了信号に基づき広告データが印刷された薬袋８の枚数を計数し（ステップＳ２２）、この計数された薬袋８の枚数（すなわち、計数データ）は、端末側記憶手段４４の計数データ記憶部５０に記憶される（ステップＳ２３）。計数データが計数データ記憶部５０に記憶される際には、計数データは、各広告データＡ，Ｂ，Ｃ毎に分類されて記憶される。
【００３５】
例えば広告期間が満了するなどして、薬局６において薬袋８への広告掲載が開始されてから所定期間（例えば、３月）経過すると、ステップＳ２４からステップＳ２５に進み、管理用コンピュータ２０の送信指令信号生成手段３６は送信指令信号を生成し、生成された送信指令信号は通信手段４０により通信回線１２を介して薬局６の端末装置１４へ送信される。送信指令信号が端末装置１４の通信手段７４により受信されると、集計手段６２は、この送信指令信号に基づいて上記所定期間内に端末側記憶手段４４の計数データ記憶部５０に記憶された計数データを集計し（ステップＳ２６）、集計手段６２により集計された計数データは、端末装置１４の通信手段７４により通信回線１２を介して管理装置１０へと送信される（ステップＳ２７）。この計数データは管理装置１０の通信手段４０により受信され（ステップＳ２８）、管理側記憶手段１８の計数データ記憶部２６に記憶される（ステップＳ２９）。なお、薬局６側の端末側記憶手段４４に記憶された計数データは、管理装置１０の入力手段３８を入力操作して送信指令信号を生成することによって、所定期間中であっても上述したように薬局６側から広告管理会社４側に送られるようになり、したがって、所定期間中においても広告データＡ，Ｂ，Ｃの配布状況を容易に知ることができる。
【００３６】
このように計数データが管理側記憶手段１８の計数データ記憶部２６に記憶されると、広告管理会社４のオペレータが入力手段３８により所定の入力操作を行うことにより、広告料金演算手段３４が、管理側記憶手段１８の計数データ記憶部２６に記憶された計数データと、管理側記憶手段１８の広告単価データ記憶部２８に記憶された広告単価データとに基づいて広告料金の演算を行う（ステップＳ３０）。この広告料金は、計数データに広告単価データを乗じることによって演算され、例えば、広告データＡ，Ｂ，Ｃの計数データがそれぞれ１０００枚、１５００枚、２０００枚であり、また広告データＡ，Ｂ，Ｃの広告単価データがそれぞれ２０円／枚、３０円／枚、１５円／枚であるとすると、広告主３０に対する広告料金は、（広告Ａについての広告料金）＋（広告Ｂについての広告料金）＋（広告Ｃについての広告料金）＝（１０００×２０）＋（１５００×３０）＋（２０００×１５）＝９５０００円となる。このように演算して得られた広告料金は管理装置１０の表示手段４２に表示され、広告管理会社４のオペレータは表示手段４２に表示された広告料金を確認した後に、広告主３０に広告料金を請求する（ステップＳ３１）。この広告料金の請求は、例えば通信回線１２を介して、又は郵便などにより行われる。
【００３７】
以上のようにして、計数手段５６により印刷された薬袋８の枚数が計数されるので、印刷された薬袋８が多数枚（例えば、数百〜数千枚程度）である場合であっても薬袋８の枚数を正確に計数することが可能となる。また、計数データは通信回線１２を介して管理装置１０へ送信されるので、広告管理会社４は、印刷された薬袋８の枚数を正確に且つ確実に把握することができ、正確な広告料金を算出することが可能となる。また、従来のように薬局員などが手作業で薬袋８の枚数を計数する必要がないため、印刷された薬袋８の枚数を広告管理会社４へ迅速に報告することができ、効率的な広告システム２を提供することが可能となる。また、患者に薬を手渡す都度、薬袋８に広告データを印刷するので、薬袋８に無駄に印刷を施すこともない。さらに、薬局６において印刷される薬袋８の印刷枚数に課金され、また事前に薬局６における薬袋８の使用枚数を予測することができ、これにより広告管理会社４が広告主３０に対して広告の効果について充分にアピールすることが可能となる。
【００３８】
上述した実施形態では、一つの広告主３０の３つの広告データＡ，Ｂ，Ｃを配布する例に適用して説明したが、異なる広告主３０Ａ，３０Ｂ，３０Ｃ（図示せず）のそれぞれの広告データＡ，Ｂ，Ｃを配布する場合も上述したのと同様に行われ、例えば広告データＡの広告料金については広告主３０Ａに請求し、広告データＢ（Ｃ）の広告料金については広告主３０Ｂ（３０Ｃ）に請求するようになる。
【００３９】
以上、本発明に従う広告システムの一実施形態について説明したが、本発明はかかる実施形態に限定されるものではなく、本発明の範囲を逸脱することなく種々の変形乃至修正が可能である。
【００４０】
例えば、上記実施形態では、１つの広告主３０から広告掲載の申し込みがされた場合について説明したが、例えば複数の広告主３０，８４，８６（図２参照）より薬袋８への広告掲載の申し込みがあった場合には、薬局６において、広告主３０，８４，８６からそれぞれ提供された広告データＸ，Ｙ，Ｚを所定の広告期間内にランダムに薬袋８に印刷するようにしてもよく、あるいは、第１広告期間に広告データＸを印刷し、第１広告期間経過後の第２広告期間に広告データＹを印刷し、また第２広告期間経過後の第３広告期間に広告データＺを印刷するようにしてもよい。
【００４１】
また例えば、上記実施形態では、薬局６において薬袋８への広告掲載が開始されてから所定期間経過時に、計数データを集計してこれを管理装置１０へ送信するように構成したが、計数手段５６により計数された計数データをリアルタイムに通信回線１２を介して管理装置１０へ送信するようにしてもよい。
【００４２】
また例えば、上記実施形態では、患者データ及び広告データの双方を印刷装置１６により薬袋８に印刷するように構成したが、広告データのみを印刷装置１６により薬袋８に印刷し、患者データは手書きにより薬袋８に記入するようにしてもよい。
【００４３】
また例えば、上記実施形態では、薬袋８に印刷する患者データに応じて広告データの内容を変更するように構成したが、全ての患者を対象とする複数の広告データをランダムに薬袋８に印刷するように構成してもよい。
【００４４】
また例えば、上記実施形態では、広告管理会社４から提供される広告データに基づいて、薬局６において薬袋８に広告データを印刷するように構成したが、薬局６が広告データを薬局６自身に提供し、この広告データを印刷装置１６により薬袋８に印刷するようにしてもよい。この場合には、例えばインフルエンザの流行時期などに、患者の家族に対してインフルエンザの予防を喚起すべく、薬袋８に「インフルエンザの予防薬を処方することができます」などの広告データを印刷することができる。あるいは、薬局６が推奨する健康食品や健康グッズの紹介などの広告データを薬袋８に印刷するようにしてもよい。このように薬局６が自らに提供する広告データを印刷装置１６により薬袋８に印刷することにより、公共性の高い情報などを患者やその家族などに提供することが可能となる。
【図面の簡単な説明】
【００４５】
【図１】本発明の一実施形態による広告システムを簡略的に示す概念図である。
【図２】図１の広告システムの構成を簡略的に示すブロック図である。
【図３】図１の広告システムにおける薬袋への広告掲載の流れを示すフローチャートである。
【図４】図１の印刷装置により患者データが印刷された薬袋の片面を示す概略図である。
【図５】図１の印刷装置により広告データが印刷された薬袋の他面を示す概略図である。
【符号の説明】
【００４６】
２  広告システム
４  広告管理会社
６  薬局
８  薬袋
１０  管理装置
１２  通信回線
１４  端末装置
１６  印刷装置
１８  管理側記憶手段
３０，８４，８６  広告主
３２，５８  広告データ読出し手段
３４  広告料金演算手段
４４  端末側記憶手段
５６  計数手段
５８  広告データ読出し手段
６０  広告データ送出手段
【図１】
2006252186.tif 000003
【図２】
2006252186.tif 000004
【図３】
2006252186.tif 000005
【図４】
2006252186.tif 000006
【図５】
2006252186.tif 000007